(57)【特許請求の範囲】
【請求項１】
ガスコンロの下部に敷設され、前記ガスコンロの底面と前記ガスコンロの背面と前記ガスコンロの右側面及び左側面の少なくとも一面とを囲う形状を有する下敷シートであって、
前記ガスコンロの底面を覆う矩形シート状の底面部と、
前記底面部の一辺に折り曲げ自在に接続され、前記ガスコンロの背面を囲う矩形シート状の背面部と、
前記一辺に隣接する前記底面部の少なくとも他の一辺に折り曲げ自在に接続され、前記ガスコンロの右側面及び左側面の少なくとも一面を囲う矩形シート状の側面部とを備え、
立設時の背面部及び側面部の各々の高さは、ガスコンロの高さとほぼ同一であり、前記背面部と前記側面部とは、各々を前記底面部に重ね合わすように折り曲げたとき平坦状態となる折り畳み部を介して接続されると共に、折り畳み部を介して折り曲げると平坦状態が保持される、下敷シート。
【請求項２】
前記側面部は、前記ガスコンロの右側面及び左側面の各々を囲う右側面部及び左側面部からなり、
前記折り畳み部は、前記右側面部に接続する右折り畳み部と前記左側面部に接続する左折り畳み部とからなり、
前記右側面部及び前記左側面部は前記背面部の上に重ね合わせた状態で前記底面部に対して折り曲げ自在である、請求項１記載の下敷シート。
【請求項３】
前記下敷シートはアルミ箔層と前記アルミ箔層を接合した紙層とからなり、
前記アルミ箔層は前記ガスコンロに面する側に配置される、請求項２記載の下敷シート。
【請求項４】
前記底面部の開放側の辺の端部は底面折り返し部として裏面側に折り返され、
前記背面部の上方側の辺の端部は、背面折り返し部として裏面側に折り返され、
前記右側面部及び前記左側面部の上方側の辺の各々の端部は、右側面折り返し部及び左側面折り返し部として裏面側に折り返される、請求項３記載の下敷シート。
【請求項５】
前記底面部及び前記背面部には、前記側面部に向かう幅方向に対して所定範囲が重ね合わされた重なり部が前記幅方向に対して直交する方向に形成される、請求項１から請求項４のいずれかに記載の下敷シート。
【請求項６】
前記背面折り返し部、前記右側面折り返し部及び前記左側面折り返し部は、前記背面部、前記右側面部及び前記左側面部の各々の上端部とともに断面が三角形形状を構成するように折り返される、請求項４記載の下敷シート。
【請求項７】
前記背面折り返し部、前記右側面折り返し部及び前記左側面折り返し部は、前記背面部、前記右側面部及び前記左側面部の各々の上端部とともに断面が円又は楕円形状を構成するように折り返される、請求項４記載の下敷シート。
【発明の詳細な説明】
【０００１】
【発明の属する技術分野】
この発明は下敷シートに関し、特にガスコンロの下部に敷設されてガスコンロ台周りの汚れを防止する下敷シートに関するものである。
【０００２】
【従来の技術】
図１２は従来の下敷シートの組立て状態を示した斜視図である。
【０００３】
図を参照して、下敷シート６１は展開状態においてはほぼ矩形シート形状を有しており、ガスコンロの底面を覆う矩形シート状の底面部６２と、底面部６２の一辺に折り曲げ用縦罫線６７を介して折り曲げ自在に接続され、ガスコンロの右側面を囲う矩形シート形状の右側面部６３と、底面部６２の他の一辺に折り曲げ用縦罫線６８を介して折り曲げ自在に接続され、ガスコンロの左側面を囲う矩形シート形状の左側面部６４と、底面部６２の更に他の辺に折り曲げ用横罫線７１を介して折り曲げ自在に接続され、ガスコンロの背面を囲う矩形シート形状の背面部６５とから構成されている。
【０００４】
又、背面部６５の両辺には折り曲げ用縦罫線６９及び折り曲げ用縦罫線７０の各々を介して折り曲げ自在の矩形シート形状の余剰部６６ａ，余剰部６６ｂが接続されている。使用時には矢印で示されているようにまず右側面部６３及び左側面部６４を引き起こし、次に背面部６５を矢印の方向に引き起こし、更に余剰部６６ａ，余剰部６６ｂを各々右側面部６３及び左側面部６４の外面に重ね合わすように折り曲げる。
【０００５】
図１３は図１２で示した従来の下敷シートの使用状態を示した斜視図である。
【０００６】
図を参照して、図１２の状態から折り曲げて余剰部６６ａを両面テープ７７ａを介して右側面部６３に固定し、同様に余剰部６６ｂを両面テープ７７ｂを介して左側面部６４に固定する。これによって底面部６２の三辺から立設した右側面部６３、左側面部６４及び背面部６５は、安定した状態となる。
【０００７】
このようにした下敷シート６１をガスコンロ台７４上に設置する。そして下敷シート６１の底面部６２の上に使用すべきガスコンロ７３を設置する。これによってガスコンロ７３の左側面とガスコンロ台７４の左側壁面７５との間に左側面部６４が配置され、ガスコンロ７３の背面とガスコンロ台７４の奥側壁面７６との間に背面部６５が配置される。又、ガスコンロ７３の右側面は右側面部６３によって覆われることになる。このようにしてガスコンロ７３の使用によるその周囲への汚れの付着を下敷シート６１によって防止することが可能となる。
【０００８】
【発明が解決しようとする課題】
上記のような従来の下敷シートでは、展開状態から使用状態にするには右側面部６３、左側面部６４及び余剰部６６を各々別々に引き起こし更にこれらを両面テープ７７等を用いて連結する必要がある。又、使用状態からこれを平坦化しようとする場合にもこれらの連結状態を解除しなければならず、手間が掛ってしまう。
【０００９】
この発明は上記のような課題を解決するためになされたもので、平坦化状態と立体的な使用状態とを連結部等を用いることなく簡易に変化させることを可能とする下敷シートを提供することを目的とする。
【００１０】
【課題を解決するための手段】
上記の目的を達成するために、請求項１記載の発明は、ガスコンロの下部に敷設され、ガスコンロの底面とガスコンロの背面とガスコンロの右側面及び左側面の少なくとも一面とを囲う形状を有する下敷シートであって、ガスコンロは底面を覆う矩形シート状の底面部と、底面部の一辺に折り曲げ自在に接続され、ガスコンロの背面を囲う矩形シート状の背面部と、該一辺に隣接する底面部の少なくとも他の一辺に折り曲げ自在に接続され、ガスコンロの右側面及び左側面の少なくとも一面を囲う矩形シート状の側面部とを備え、立設時の背面部及び側面部の各々の高さは、ガスコンロの高さとほぼ同一であり、背面部と側面部とは各々を底面部に重ね合わすように折り曲げたとき平坦状態となる折り畳み部を介して接続されると共に、折り畳み部を介して折り曲げると平坦状態が保持されるものである。
【００１１】
このように構成すると、平坦状態となっている背面部又は側面部を広げるように持ち上げると、側面部又は背面部が折り畳み部を介して持ち上がり、ガスコンロとほぼ同一の高さの立設状態となる。又、折り畳み部を介して再度折り曲げると、立設前と同様の平坦状態となる。
【００１２】
請求項２記載の発明は、請求項１記載の発明の構成において、側面部はガスコンロの右側面及び左側面の各々を囲う右側面部及び左側面部からなり、折り畳み部は、右側面部に接続する右折り畳み部と左側面部に接続する左折り畳み部とからなり、右側面部及び左側面部は背面部の上に重ね合わせた状態で底面部に対して折り曲げ自在である。
【００１３】
このように構成すると、右側面部及び左側面部を持ち上げると背面部が自動的に持ち上がり、使用状態の形状に直ちに変化する。
【００１４】
請求項３記載の発明は、請求項２記載の発明の構成において、下敷シートはアルミ箔層とアルミ箔層を接合した紙層等とからなり、アルミ箔層はガスコンロに面する側に配置されるものである。
【００１５】
このように構成すると、ガスコンロ側に面する面の耐熱性が向上するとともに汚れがつきにくくなる。
【００１６】
請求項４記載の発明は、請求項３記載の発明の構成において底面部の外方側の辺の端部は底面折り返し部として裏面側に折り返され、背面部の上方側の辺の端部は背面折り返し部として裏面側に折り返され、右側面部及び左側面部の上方側の辺の各々の端部は、右側面折り返し部及び左側面折り返し部として裏面側に折り返されるものである。
【００１７】
このように構成すると、各部の端部は２重構造となり厚くなる。
【００１８】
請求項５記載の発明は、請求項１から請求項４のいずれかに記載の発明の構成において、底面部及び背面部には、側面部に向かう幅方向に対して所定範囲が重ね合わされた重なり部が幅方向に対して直交する方向に形成されるものである。
【００１９】
このように構成すると、重なり部を広げると底面部及び背面部の幅方向の長さが大きくなる。
【００２０】
請求項６記載の発明は、請求項４記載の発明の構成において、背面折り返し部、右側面折り返し部及び左側面折り返し部は、背面部、右側面部及び左側面部の各々の上端部とともに断面が三角形形状を構成するように折り返されるものである。
【００２１】
このように構成すると、各折り返し部の軸線方向を横切って加わる力に対する反発力が大きくなる。
【００２２】
請求項７記載の発明は、請求項４記載の発明の構成において、背面折り返し部、右側面折り返し部及び左側面折り返し部は、背面部、右側面部及び左側面部の各々の上端部とともに断面が円又は楕円形状を構成するように折り返されるものである。
【００２３】
このように構成すると、各折り返し部の軸線方向を横切って加わる力に対する反発力が大きくなる。
【００２４】
【発明の効果】
以上説明したように、請求項１記載の発明は、平坦状態から使用状態にするのに背面部又は側面部を別々に持ち上げてこれらを連結させる必要がなく、又、使用しない際に容易に平坦状態に戻すことが可能となり、使い勝手が良い。又、立設状態ではガスコンロとほぼ同一の高さとなるため、ガスコンロの使用によるその周囲への汚れの付着を防止することが出来る。
【００２５】
請求項２記載の発明は、請求項１記載の発明の効果に加えて、右側面部及び左側面部を持ち上げるだけで平坦状態から使用状態への変化が迅速かつ安定して行なわれる。
【００２６】
請求項３記載の発明は、請求項２記載の発明の効果に加えて、紙を主体とした構造であっても安全性と表面の清浄性が向上し、効率的な下敷シートとなる。
【００２７】
請求項４記載の発明は、請求項３記載の発明の効果に加えて、各部の端部が２重構造となるのでその端部が補強されるとともに裏面への汚れの広がりを軽減する。
【００２８】
請求項５記載の発明は、請求項１から請求項４のいずれかに記載の発明の効果に加えて、ガスコンロの幅方向の大きさに応じて調整が容易となり使い勝手が向上する。
【００２９】
請求項６記載の発明は、請求項４記載の発明の効果に加えて、各折り返し部の強度が向上するので、背面部等の上端部の補強とともにその直線性も向上する。
【００３０】
請求項７記載の発明は、請求項４記載の発明の効果に加えて、各折り返し部の強度が向上するので、背面部等の上端部の補強とともにその直線性も向上する。
【００３１】
【発明の実施の形態】
図１はこの発明の第１の実施の形態による下敷シートの展開状態を示した図であり、図２は図１のＩＩ−ＩＩラインの端面図である。
【００３２】
これらの図を参照して、下敷シート１６は厚さ６〜１５０μｍのアルミ箔からなるアルミ箔層４７と、坪量９０〜４００ｇ／ｍ２の普通紙からなる紙層４６とをポリエチレン等の合成樹脂層４８を介して接合したシートによって構成されている。
【００３３】
下敷シート１６は全体的にはほぼ矩形形状を有している。具体的には、設置されるガスコンロの下部に敷設される矩形形状の底面部１７と、底面部１７の右側の辺に折り曲げ用縦罫線３１を介して折り曲げ自在に接続され、ガスコンロの右側面を囲う矩形形状の右側面部１８と、底面部１７の左側の辺に折り曲げ用縦罫線３２を介して折り曲げ自在に接続され、ガスコンロの左側面を囲う矩形形状の左側面部１９と、底面部１７の奥側の辺に折り曲げ用横罫線３７を介して折り曲げ自在に接続され、ガスコンロの背面部を囲う背面部２０とによって主に構成されている。
【００３４】
右側面部１８と背面部２０とは、そのコーナー部に切欠き部４４が形成されたほぼ正方形形状の右折り畳み部２１によって一体的に接続されている。同様に左側面部１９と背面部２０とは、そのコーナー部に切欠き部４５が形成されたほぼ正方形形状の左折り畳み部２２によって一体的に接続されている。
【００３５】
底面部１７の外方側（図において下側）の辺には折り曲げ用横罫線３８を介して底面折り返し部２４が接続されている。右側面部１８の外方側には折り曲げ用縦罫線３３を介して右側面折り返し部２５が接続されている。左側面部１９の外方側の辺には折り曲げ用縦罫線３４を介して左側面折り返し部２６が接続されている。背面部２０の外方側の辺の中央部分には折り曲げ用横罫線３９を介して背面折り返し部２７が接続されている。
【００３６】
又、背面折り返し部２７の両端部から折り曲げ用縦罫線３１と折り曲げ用横罫線３７との交点Ａ及び折り曲げ用縦罫線３２と折り曲げ用横罫線３７との交点Ｂに向かって、折り曲げ用斜め罫線４１及び折り曲げ用斜め罫線４２が形成されている。
【００３７】
右折り畳み部２１の右側の辺には折り曲げ用縦罫線３３を介して右折り返し部２８が接続されており、又、切欠き部４４の部分から交点Ａに向かって折り曲げ用斜め罫線３９が形成されている。一方、左折り畳み部２２の左側の辺には折り曲げ用縦罫線３４を介して左折り返し部２９が接続され、切欠き部４５の部分から交点Ｂに向かって折り曲げ用斜め罫線４０が形成されている。
【００３８】
底面部１７と背面部２０とには、上下方向に伸びる折り曲げ用縦罫線３６及び折り曲げ用縦罫線３５が形成され、これらの間の領域が幅調整代部２３となっている。
【００３９】
尚、上記で説明した罫線として図において破線で示されている罫線は、後述する折曲げ時において山折りとなる部分であり、一点鎖線で示されている罫線は、谷折り部となる箇所を示している。又、罫線は図２の折り曲げ用縦罫線３１及び折り曲げ用縦罫線３３として示されているように、アルミ箔層４７側から紙層４６の方に窪みをつけた断面構造となっている。これによって罫線の部分においては、山折り又は谷折りのいずれにおいても容易に折り曲げることが可能となる。
【００４０】
図３は図１の展開状態から使用状態に向けて折り曲げを開始した状態を示した斜視図である。
【００４１】
図を参照して、まず図１の状態から折り曲げ用縦罫線３５及び折り曲げ用縦罫線３６の部分で折り曲げて、矢印で示す方向に底面部１７の一部（幅調整代部２３）を重ね合わす。これによって底面部１７の幅は所定範囲だけ狭くなる。
【００４２】
この状態で右側面部１８、左側面部１９及び背面部２０を底面部１７の方向に向けて引き起こす。このとき右側面折り返し部２５を、右側面部１８に対して矢印で示すようにその裏面側に折り返して接着剤等を用いて固定する。同様に左側面折り返し部２６も左側面部１９に対して矢印で示すように裏面側に折り返して接着固定する。
【００４３】
右側面部１８と背面部２０とを接続する右折り畳み部２１においては、折り曲げ用斜め罫線３９及び折り曲げ用斜め罫線４１を山折りとし、折り曲げ用縦罫線３１を谷折りとしてこれらを折り畳み、この折り畳んだ状態で右折り返し部２８を背面部２０の裏面側に折り返して接着固定する。
【００４４】
同様に、左側面部１９と背面部２０とを接続する左折り畳み部２２においては、折り曲げ用斜め罫線４０及び折り曲げ用斜め罫線４２を山折りとし、折り曲げ用縦罫線３２を谷折りとしてこれらを折り畳み、この重ねた状態で左折り返し部２９を背面部２０の裏面側に折り返して接着固定する。このとき底面部１７の開放端に接続する底面折り返し部２４はその状態のままとし、同様に背面部２０の上方端部に接続する背面折り返し部２７はその状態のままとする。
【００４５】
図４は図３の状態から右側面部１８、左側面部１９及び背面部２０を完全に底面部１７側に折り畳んだ状態を示した斜視図である。
【００４６】
図を参照して、この状態においては、底面部１７の一部の上に背面部２０が折り畳まれ、更に背面部２０の両側の部分の上に右側面部１８及び左側面部１９の一部が折り畳まれて全体的に平坦化された状態となっている。尚、この状態において折り曲げ用縦罫線３５及び折り曲げ用縦罫線３６における折り曲げによって形成された重なり部５０及び重なり部５１は、その状態で平坦化されている。又、右側面部１８及び左側面部１９は背面部２０の上に重ね合わされているが、その部分を右側面部１８及び左側面部１９側に重ね合わすようにして、背面部２０の両側の部分を右側面部１８及び左側面部１９の各々の一部の上に重ねるようにして平坦化することも可能である。
【００４７】
図４の状態からは後述するように使用状態に変化させることは容易であるが、販売時等においてより小さくするために、図の一点鎖線で示す位置で一点鎖線の矢印で示す方向にその両側の部分を裏面方向に折り畳めば、全体的によりコンパクトになり好ましいものとなる。尚、この１点鎖線での折り曲げを容易にするために、底面部１７及び背面部２０に対してこの位置にも前もって罫線を形成しておけば、より折り畳み易くなる。
【００４８】
図５は図４の状態から使用状態に変化させる途中の状態を示した図である。
【００４９】
図を参照して、図４の平坦化された状態から右側面部１８及び左側面部１９を矢印の方向に持ち上げると、右側面部１８及び左側面部１９に接続する右折り畳み部２１及び左折り畳み部２２を介して、背面部２０も矢印の方向に自動的に持ち上げられるように変化する。下敷シート１６をガスコンロ台に設置する場合には、通常底面部１７の開放側から扱うことが多いため右側面部１８及び左側面部１９を持ち上げることは容易となり使い勝手が良い。
【００５０】
図６は図５の状態から右側面部１８及び左側面部１９を完全に引き起こした状態を示した斜視図である。
【００５１】
図を参照して、右側面部１８及び左側面部１９を完全に引き起こすと、これに伴って背面部２０も底面部１７に対して完全に立設した状態に変化する。これによって設置対象であるガスコンロの底面、両側面及び背面を囲う立体的な使用状態に近い形状に変化する。尚、上述のように右側面部１８の上端部には右側面折り返し部２５が外面に折り返され、同様に左側面部１９の上端部も左側面折り返し部２６が外面側に折り返され、各々接着固定されている。又背面部２０の両側には右折り畳み部２１及び左折り畳み部２２が重ね合わされ、その上端部の背面部２０の裏面側には右折り返し部２８及び左折り返し部２９の各々が折り返されて接着固定されている。
【００５２】
図７は図６の状態から更に底面折り返し部２４及び背面折り返し部２７を折り返した状態を示した斜視図である。
【００５３】
図を参照して、底面部１７の開放端部に接続されている底面折り返し部２４はその裏面側に折り返され、背面部２０の上端部中央側に接続されている背面折り返し部２７はその裏面側に折り返されている。これらは重なり部５０及び重なり部５１の外方端部においても同様に折り返されているため、すっきりとした状態となる。又、前もって折り返されている右側面折り返し部２５、左側面折り返し部２６、右折り返し部２８及び左折り返し部２９とともに、底面折り返し部２４及び背面折り返し部２７の折り返しによって、下敷シート１６の開放端部はほとんど全体が２重構造となっている。そのため、それらの補強とともに全体形状の保形性の維持に寄与している。
【００５４】
図８は図７のＶＩＩＩ−ＶＩＩＩラインの端面図である。
【００５５】
図を参照して、右側面折り返し部２５は右側面部１８の外方側に折り返されて接着固定されている。したがってアルミ箔層４７は右側面部１８の裏面側に対して右側面折り返し部２５の部分まで連続することになる。これによってアルミ箔層４７による耐熱性の向上や汚れの付着を防止する機能が、右側面部１８の上端部のみならずその裏面側の一定範囲まで発揮されることになる。
【００５６】
尚、この構造による効果は、左側面部１９、背面部２０及び底面部１７に対してもその外方端部においては同様に発揮されるものである。
【００５７】
図９は図４で示した下敷シートを、設置されるべきガスコンロの大きさに応じてその幅を広げたときの使用状態を示した斜視図である。
【００５８】
図を参照して、幅の大きなガスコンロに適応する場合には、図６の状態から重なり部５０及び重なり部５１をなくすべく、矢印で示す方向に底面部１７及び背面部２０を広げるように変化させる。これによって折り曲げ用縦罫線３５及び折り曲げ用縦罫線３６の部分は、各々図１で示した展開状態に復帰する。この状態で底面折り返し部２４及び背面折り返し部２７を各々裏面側に折り返して使用状態が完成する。この状態では下敷シート１６の幅Ｗは、図７で示した使用状態に比べて、幅調整代部２３の幅の２倍の長さだけより広くなるように変化する。
【００５９】
図１０はこの発明の第２の実施の形態による下敷シートの右側面部の端面構造を示す図であって、先の実施の形態による図８に対応する図である。
【００６０】
図を参照して、右側面折り返し部２５はその端面が右側面部１８の上端部分と併せて三角形状となるように外方側に折り返されている。これによって右側面折り返し部２５の軸線方向を横切る力に対して右側面折り返し部２５の反発力が大きくなるため、右側面部１８の上部の補強とともにその上端部の直線性を向上する。尚、このような構造であっても右側面折り返し部２５の外面はアルミ箔層４７によって覆われているため、その耐熱性と汚れの付着の防止性能は変わることはない。
【００６１】
図１１はこの発明の第３の実施の形態による下敷シートの右側面部の端面構造を示す図であって、先の第１の実施の形態による図８に対応する図である。
【００６２】
図を参照して、右側面折り返し部２５は右側面部１８の上端部とともに端面が楕円形状となるように折り返されている。これによって先の第２の実施の形態によるものと同様に、右側面折り返し部２５の軸線方向を横切る力に対する反発力が大きくなり、右側面部１８の上端部の補強とともにその直線性を向上する。又、この構造においても、右側面折り返し部２５の外面はアルミ箔層４７によって覆われているため、耐熱性及び汚れの付着の防止性能は低下することはない。
【００６３】
尚、図１０及び図１１においては右側面折り返し部２５の端面構造を三角形形状及び楕円形状としているが、これら以外に他の多角形形状や円形状としても同様の効果を奏することは言うまでもない。
【００６４】
又、上記の実施の形態では、下敷シートとして右側面部及び左側面部のいずれも具備しているが、これらの一方のみを備えて背面部とでガスコンロの側面の一方と背面とを囲うようにしても同様の効果を奏する。
【００６５】
更に、上記の実施の形態では、下敷シートとしてアルミ箔を紙層に樹脂層によって接合した構成のシートを用いているが、用途に応じて紙層のみによって構成したものであっても良い。
【００６６】
更に、上記の実施の形態では、折り畳み部は背面部や側面部と共に一枚のシートから形成されているが、これらとは別体に準備して背面部や側面部に接着固定する構造としても良い。
【００６７】
更に、上記の実施の形態では、折り返し部をほとんど全ての端辺に対して形成しているが、部分的に形成しても良く、あるいは全く形成しなくても良い。
【図面の簡単な説明】
【図１】この発明の第１の実施の形態による下敷シートの展開状態を示した図である。
【図２】図１のＩＩ−ＩＩラインの端面図である。
【図３】図１の展開状態から折り曲げ途中の状態を示した斜視図である。
【図４】図３で示した折り曲げが完了した折り畳み状態を示した斜視図である。
【図５】図４の状態から右側面部１８及び左側面部１９を引き起こした場合の状態変化を示した斜視図である。
【図６】図５の状態から右側面部１８及び左側面部１９を完全に引き起こした状態を示した斜視図である。
【図７】図６の状態から底面折り返し部２４及び背面折り返し部２７を外方に折り返した使用状態を示した斜視図である。
【図８】図７のＶＩＩＩ−ＶＩＩＩラインの端面図である。
【図９】図６の状態から重なり部５０及び重なり部５１を広げた使用状態とした斜視図である。
【図１０】この発明の第２の実施の形態による下敷シートの右側面部の端面構造を示した図である。
【図１１】この発明の第３の実施の形態による下敷シートの右側面部の端面構造を示した図である。
【図１２】従来の下敷シートの組立て状態を示した斜視図である。
【図１３】図１２の下敷シートを組立てて設置した使用状態を示す斜視図である。
【符号の説明】
１６…下敷シート
１７…底面部
１８…右側面部
１９…左側面部
２０…背面部
２１…右折り畳み部
２２…左折り畳み部
２３…幅調整代部
２４…底面折り返し部
２５…右側面折り返し部
２６…左側面折り返し部
２７…背面折り返し部
４６…紙層
４７…アルミ箔層
５０，５１…重なり部
尚、各図中同一符号は同一又は相当部分を示す。
【図１】
0003848832.tif 000002
【図２】
0003848832.tif 000003
【図３】
0003848832.tif 000004
【図４】
0003848832.tif 000005
【図５】
0003848832.tif 000006
【図６】
0003848832.tif 000007
【図７】
0003848832.tif 000008
【図８】
0003848832.tif 000009
【図９】
0003848832.tif 000010
【図１０】
0003848832.tif 000011
【図１１】
0003848832.tif 000012
【図１２】
0003848832.tif 000013
【図１３】
0003848832.tif 000014